(57)【要約】【課題】電線、ケーブル、ホース等の線部材を収納部に収納する場合、敷設面の汚れや水などを除かなくてもよいものとし、さらに構成部材どうしの連結を簡単なものとして、線樋の敷設作業が煩わしくなくなるものとし、また備品や重機などの大きい荷重がかかったり、作業車や運搬車などが通過したりしても、強度不足で破損してしまうことはなく、さらに線部材の収納部を増設する場合にも部品点数が多くならず、製品コストが高くなることのない線樋を提供する。【解決手段】断面を略四角形状としたパイプの内部を線部材Ｃの収納部３とし、一側部に、この側部との間に隙間Ｓを設けて係止片４を着脱自在として取り付けた線樋増設部材１を備えると共に、断面を略直角三角形状とした柱状体とし、垂直側部に前記係止片４の係止溝８を設けた線樋側部材２を備えたものとしている。【選択図】図１０
0003124485.tif 000002
【実用新案登録請求の範囲】
【請求項１】
断面を略四角形状としたパイプの内部を線部材（Ｃ）の収納部（３）とし、一側部に、この側部との間に隙間（Ｓ）を設けて係止片（４）を着脱自在として取り付けた線樋増設部材（１）を備えると共に、断面を略直角三角形状とした柱状体とし、垂直側部に前記係止片（４）の係止穴（８）を設けた線樋側部材（２）を備えたことを特徴とする線樋。
【請求項２】
断面を略四角形状としたパイプの内部を線部材（Ｃ）の収納部（３）とし、両側部に、これら両側部との間にそれぞれ隙間（Ｓ）を設けて係止片（４）を着脱自在として取り付けた線樋増設部材（１）を少なくとも一つ備えると共に、断面を略直角三角形状とした柱状体とし、垂直側部に前記係止片（４）の係止穴（８）を設けた線樋側部材（２）を少なくとも一つ備えたことを特徴とする線樋。
【請求項３】
前記線樋増設部材（１）の二個以上をそれぞれの互いの側部で連結すると共に、連結した線樋増設部材（１）の外側面の両方または片方に前記線樋側部材（２）を連結したことを特徴とする請求項２記載の線樋。
【請求項４】
前記線樋増設部材（１）を金属としたことを特徴とする請求項１〜３のいずれかに記載の線樋。
【請求項５】
前記線樋増設部材（１）を合成樹脂またはゴムとしたことを特徴とする請求項１〜３のいずれかに記載の線樋。
【請求項６】
前記線樋側部材（２）を金属としたことを特徴とする請求項１〜３のいずれかに記載の線樋。
【請求項７】
前記線樋側部材（２）を合成樹脂またはゴムとしたことを特徴とする請求項１〜３のいずれかに記載の線樋。
【請求項８】
前記線樋側部材（２）を止着具（Ｂ）により敷設面（Ｐ）に止着できるようにしたことを特徴とする請求項１〜７のいずれかに記載の線樋。
【請求項９】
前記係止片（４）を、線樋増設部材（１）の両端付近に取り付けたことを特徴とする請求項１〜８のいずれかに記載の線樋。
【請求項１０】
前記係止片（４）を、略四角形状とし、その上辺（４ａ）が線樋増設部材（１）の側部上辺（１ａ）と平行になるようにすると共に、その下辺（４ｂ）が線樋増設部材（１）の側部下辺（１ｂ）から食み出ないようにして取り付けたことを特徴とする請求項１〜９のいずれかに記載の線樋。
【考案の詳細な説明】
【技術分野】
【０００１】
この考案は、オフィスや展示会場の床面、建築工事現場や道路工事現場の地面等に配される電線、ケーブル、ホース等を保護するために使用される線樋に関するものである。
【背景技術】
【０００２】
従来、この種の線樋は、例えば図１２に示すような線樋中部材２１と、図１３に示すような線樋側部材２２を備え、図１４に示すように線樋中部材２１の両側部に線樋側部材２２をそれぞれ連結させたものとして、床面や地面等の敷設面Ｐに敷設したものとしている。また、線樋側部材２２は、線樋中部材２１の片側部のみに連結させたものとしてもよいとしている。
【０００３】
さらに、従来の線樋は、前記線樋中部材２１と線樋側部材２２に加えて、図１５に示すような線樋増設部材２３を備え、図１６に示すように線樋中部材２１の一側部と線樋増設部材２３の一側部を連結させると共に、線樋中部材２１の他側部と線樋増設部材２３の他側部に線樋側部材２２をそれぞれ連結させたものとしてもよいとしている。また、線樋増設部材２３の他側部には線樋側部材２２を連結させず、線樋中部材２１の他側部のみに線樋側部材２２を連結させたものとしてもよいとしている。
【０００４】
また、従来の線樋は、前記線樋増設部材２３を複数個備えたものとし、この線樋増設部材２３の複数個を互いに連結させると共に、この連結させた線樋増設部材２３の一側部に線樋中部材２１の一側部を連結させ、前記線樋増設部材２３の他側部と前記線樋中部材２１の他側部に線樋側部材２２をそれぞれ連結させたものとしてもよいとしている。そして、前記したのと同様、線樋増設部材２３の他側部には線樋側部材２２を連結させず、線樋中部材２１の他側部のみに線樋側部材２２を連結させたものとしてもよいとしている（特許文献１）。
【０００５】
このように構成した従来の線樋は、複数個の線樋増設部材２３を互いに連結させれば、電線やケーブル等の線部材Ｃの収納部２４がいくらでも増設することができ、これら線部材Ｃの収納部２４が多数必要とされる場合にも対処することができるとしている。
【特許文献１】特開平９−１０７６１６号公報（第３頁、図１〜５）
【考案の開示】
【考案が解決しようとする課題】
【０００６】
しかしながら、上記従来の線樋では、図１２に示したように線樋中部材２１が、断面を略倒凹形状の長尺体とし、断面を略倒Ｕ字形状とした収納部２４を有するものとしているので、その収納部２４に電線やケーブル等の線部材Ｃを収納すると、図１４、１６に示したように線部材Ｃが床面や地面等の敷設面Ｐに直に触れてしまう。そのため、敷設面Ｐが汚れていたり、水などで濡れていたり、砂やジャリなどが敷かれていたりすると、敷設面Ｐの汚れや水などが線部材Ｃに付着したり、砂やジャリによって線部材Ｃが擦られたりしてしまう。このような場合、線部材Ｃに付着した汚れや水などが、その線部材Ｃに悪影響を与えたり、砂やジャリによって擦られて線部材Ｃが損傷することもあるので、敷設面Ｐの汚れや水、砂やジャリなどを除いてからでないと、線部材Ｃを収納部２４に収納することができず、線樋の敷設作業が非常に煩わしくなるという問題点を有していた。
【０００７】
さらに、上記従来の線樋では、線樋中部材２１の両側部の長手方向に沿って連結部２５が設けられており、線樋側部材２２の一側部の長手方向に沿って連結部２６が設けられており、さらに線樋増設部材２３の両側部の長手方向に沿って連結部２７が設けられており、これらを連結するには、それぞれ長手方向に沿って設けた連結部２５の凹凸嵌合部２５ａ、２５ｂや連結部２６の凹凸嵌合部２６ａ、２６ｂや連結部２７の凹凸嵌合部２７ａ、２７ｂどうしを端から端まで凹凸嵌合しなければならならないので、その凹凸嵌合する操作が面倒であるため、線樋の敷設作業が非常に煩わしくなるという問題点を有していた。
【０００８】
また、上記従来の線樋では、線樋中部材２１や線樋増設部材２３を硬質合成樹脂により作成しているものの、備品や重機などの大きい荷重がかかったり、作業車や運搬車などが通過したりすると、強度不足で破損してしまうことがあるという問題点を有していた。
【０００９】
さらにまた、電線やケーブル等の線部材Ｃの収納部２４を増設する場合に、線樋中部材２１と線樋増設部材２３を併用するものとしており、線樋増設部材２３の使用のみで前記収納部２４を増設することができず、部品点数が多くなって、製品コストが高くなるという問題点を有していた。
【００１０】
そこで、この考案は、上記従来の問題点を解決するものであり、電線、ケーブル、ホース等の線部材を収納部に収納する場合、敷設面の汚れや水、砂やジャリなどを除かなくてもよいものとし、さらに構成部材どうしの連結を簡単なものとして、線樋の敷設作業が煩わしくなくなるものとし、また備品や重機などの大きい荷重がかかったり、作業車や運搬車などが通過したりしても、強度不足で破損してしまうことはなく、さらに線部材の収納部を増設する場合にも部品点数が多くならず、製品コストが高くなることのない線樋を提供することを目的としてなされたものである。
【課題を解決するための手段】
【００１１】
そのため、この考案の線樋は、断面を略四角形状としたパイプの内部を線部材Ｃの収納部３とし、一側部に、この側部との間に隙間Ｓを設けて係止片４を着脱自在として取り付けた線樋増設部材１を備えると共に、断面を略直角三角形状とした柱状体とし、垂直側部に前記係止片４の係止穴８を設けた線樋側部材２を備えたものとしている。
【００１２】
さらに、この考案の線樋は、断面を略四角形状としたパイプの内部を線部材Ｃの収納部３とし、両側部に、これら両側部との間にそれぞれ隙間Ｓを設けて係止片４を着脱自在として取り付けた線樋増設部材１を少なくとも一つ備えると共に、断面を略直角三角形状とした柱状体とし、垂直側部に前記係止片４の係止穴８を設けた線樋側部材２を少なくとも一つ備えたものとしている。
【００１３】
そして、この考案の線樋は、前記線樋増設部材１の二個以上をそれぞれの互いの側部で連結すると共に、連結した線樋増設部材１の外側部の両方または片方に前記線樋側部材２を連結したものとしている。
【００１４】
さらに、この考案の線樋は、前記線樋増設部材１を金属としたり、合成樹脂またはゴムとしている。
【００１５】
また、この考案の線樋は、前記線樋側部材２を金属としたり、合成樹脂またはゴムとしている。
【００１６】
さらに、この考案の線樋は、前記線樋側部材２を止着具Ｂにより敷設面Ｐに止着できるようにしている。
【００１７】
また、この考案の線樋は、前記係止片４を、線樋増設部材１の両端付近に取り付けたものとしている。
【００１８】
さらに、この考案の線樋は、前記係止片４を、略四角形状とし、その上辺４ａが線樋増設部材１の側部上辺１ａと平行になるようにすると共に、その下辺４ｂが線樋増設部材１の側部下辺１ｂから食み出ないようにして取り付けたものとしている。
【考案の効果】
【００１９】
この考案の線樋は、以上に述べたように構成されており、電線、ケーブル、ホース等の線部材を収納部に収納する場合、敷設面の汚れや水、砂やジャリなどを除かなくてもよいものとなり、さらに構成部材どうしの連結が簡単なものとなるので、線樋の敷設作業が煩わしくなくなるものとなり、また備品や重機などの大きい荷重がかかったり、作業者や運搬車などが通過したりしても、強度不足で破損してしまうことがないものとなり、さらに線部材の収納部を増設する場合にも部品点数が多くなることなく、製品コストが高くならないものとなった。
【考案を実施するための最良の形態】
【００２０】
以下、この考案の線樋の実施の形態を、図面に基づいて詳細に説明する。
【００２１】
この考案の線樋は、図３〜６に示すような線樋増設部材１と、図７、８に示すような線樋側部材２を備え、図１に示すように線樋増設部材１の両側部に線樋側部材２をそれぞれ連結したものとして、床面や地面等の敷設面Ｐに敷設している。
【００２２】
さらに、この考案の線樋は、図３〜６に示すような線樋増設部材１と、図７、８に示すような線樋側部材２を備え、図２に示すように二個の線樋増設部材１どうしを互いの側部で連結すると共に、連結した線樋増設部材１の外側部に線樋側部材２をそれぞれ連結したものとして、床面や地面等の敷設面Ｐに敷設することができる。
【００２３】
また、この考案の線樋は、図３〜６に示すような線樋増設部材１と、図７、８に示すような線樋側部材２を備え、図には示してしないが三個以上の線樋増設部材１どうしを互いの側部で連結すると共に、連結した線樋増設部材１の外側部に線樋側部材２をそれぞれ連結したものとして、床面や地面等の敷設面Ｐに敷設することができる。
【００２４】
この考案の線樋は、線樋側部材２を線樋増設部材１の両側部にそれぞれ連結させたものとすれば、工場構内等の壁際でない床面や段差のない床面等に敷設するのに好ましいものとなる。なお、この考案の線樋は、線樋側部材２を線樋増設部材１の片側部に連結させたものとしてもよい。このように連結させたものとすれば、工場構内等の壁際の床面や段差のある床面、車道と歩道の段差部等に敷設するのに好ましいものとなる。
【００２５】
線樋増設部材１は、断面を略四角形状とした長尺のパイプとしており、金属、合成樹脂またはゴムの成形品としており、内部を電線、ケーブル、ホース等の線部材Ｃの収納部３としている。そして、線樋増設部材１の両端付近の両側部に、これら両側部との間にそれぞれ隙間Ｓを設けて係止片４を着脱自在として取り付けたものとしている。なお、前記係止片４は、線樋増設部材１の両端付近の一側部にのみ取り付けたものとしてもよい。
【００２６】
前記線樋増設部材１を金属の長尺パイプとした場合には、強度性に優れたものとなるので、収納部３を大径として、直径の大きい電線、ケーブル、ホース等の線部材Ｃを配することができ、しかも線樋増設部材１に備品や重機などの大きい荷重がかかったり、作業車や運搬車などが通過したりしても、強度不足で破損してしまうことがないものとなる。また、線樋増設部材１を合成樹脂またはゴムの長尺パイプとした場合には、可撓性を有するものとなるので、敷設したときに床面や地面等に多少の段差があってもフィットすると共に、物が当たったり、踏みつけられたりしても衝撃を緩和したり、騒音を防止したりすることができるものとなる。
【００２７】
前記係止片４は、略四角形状の金属板や合成樹脂板などからなり、その上辺４ａが線樋増設部材１の側部上辺１ａと平行になるようにすると共に、その下辺４ｂが線樋増設部材１の側部下辺１ｂから食み出ないようにして、線樋増設部材１の両端付近の両側部の下部に設けられたビス孔５に、それぞれスペーサ６を介してビス止めすることにより、前記両側部との間にそれぞれ隙間Ｓを設けて、線樋増設部材１に着脱自在として取り付けたものとしている。図３〜５に示した係止片４は、線樋増設部材１の両端付近の両側部のみに着脱自在として取り付けたものとしており、図６に示した係止片４は、線樋増設部材１の両端付近から両側部全体に沿って着脱自在として取り付けたものとしている。なお、前記線樋増設部材１の両端付近とは、作業者が線樋増設部材１に手指を差し込んだ場合に、手指が届く範囲であるのが好ましい。この手指が届く範囲にビス孔５を設ければ、そのビス孔５にねじ込まれたビス７を簡単に緩めることができるので、ビス７を簡単に外すことができ、またビス孔５にビス７を簡単にねじ込むことができるので、ビス７を簡単に付けることができるものとなる。
【００２８】
線樋側部材２は、断面を略直角三角形状とした柱状体とし、金属、合成樹脂またはゴムの成形品としており、必要に応じて内部に一または複数の収納部３を設けたものとしている。なお、前記収納部３は、図に示したものでは、下方を開口したものとしているが、下方を閉鎖したものとしてもよいのはいうまでもない。そして、前記線樋側部材２は、垂直側部に前記係止片４の係止穴８を設けたものとしている。この係止穴８は、線樋側部材２の垂直側部とこの垂直側部の前方に設けた垂下壁９との間に設けたものとしているが、長さや形状にとらわれることなく、例えば線樋側部材２の垂直側部の長手方向に全域に沿って、または図に示したように両端部を除く略全域に沿って設けたものとしたり、前記係止片４に対応する部分にのみ設けたものなどとすることができる。
【００２９】
前記線樋側部材２を金属の柱状体とした場合には、強度性に優れたものとなるので、線樋側部材２に備品や重機などの大きい荷重がかかったり、作業車や運搬車などが通過したりしても、強度不足で破損してしまうことがないものとなる。また、線樋側部材２を合成樹脂またはゴムの長尺パイプとした場合には、可撓性を有するものとなるので、敷設したときに床面や地面等に多少の段差があってもフィットすると共に、物が当たったり、踏みつけられたりしても衝撃を緩和したり、騒音を防止したりすることができるものとなる。
【００３０】
前記線樋側部材２は、斜面部に多数の滑り止め用の小凸部１０を設けたものとしている。また、前記線樋側部材２は、釘やアンカーボルトなどの止着具Ｂにより敷設面Ｐに止着できるようにしている。図に示したものでは、線樋側部材２の斜面部の適宜個所に段差部１１を設けており、止着具Ｂにより線樋側部材２を敷設面Ｐに止着しても、その止着具Ｂの頭部が線樋側部材２の斜面部から突出しないようにしている。
【００３１】
そこで、この考案の線樋において、線樋増設部材１の両側部に線樋側部材２を連結するには、線樋増設部材１の側部に線樋側部材２を近づけ、線樋側部材２の垂直壁９を線樋増設部材１の隙間Ｓに差し込むようにして、この線樋増設部材１の係止片４を線樋側部材２の係止穴８に係止させればよい。そして、このようにした線樋は、図９に示したように、床面Ｐに敷設すればよい。この場合、前記係止穴８を線樋側部材２の垂直側部の長手方向に全域または略全域に沿って設けたものでは、係止片４との正確な位置合わせをしなくても、その長手方向に全域に沿って設けた係止穴８の何処かに係止片４を係止させることができるので、線樋増設部材１と線樋側部材２との連結作業が簡単で素早く行えるものとなる。
【００３２】
さらに、この考案の線樋において、二個の線樋増設部材１どうしを互いの側部で連結するには、それぞれの線樋増設部材１の一側部に取り付けられている係止片４のビス７を緩めてこの係止片４を外し、その連結する線樋増設部材１の一側部どうしを重ね、それぞれのビス孔５の位置を合わせてビス止めすればよい。そして、このようにした線樋は、図１０に示したように、床面Ｐに敷設すればよい。
【００３３】
また、この考案の線樋において、線樋増設部材１の一側部に線樋側部材２を連結するには、線樋増設部材１の側部に線樋側部材２を近づけ、線樋側部材２の垂直壁９を線樋増設部材１の隙間Ｓに差し込むようにして、この線樋増設部材１の係止片４を線樋側部材２の係止穴８に係止させ、線樋増設部材１の他側部に取り付けられている係止片４のビス７を緩めてこの係止片４を外せばよい。そして、このようにした線樋は、図１１に示したように、線樋増設部材１の他側部を段差に沿わせて、床面Ｐに敷設すればよい。
【００３４】
さらに、この考案の線樋において、三個以上の線樋増設部材１どうしを互いの側部で連結するには、図示していないが、両外側に配される線樋増設部材１はそれぞれの線樋増設部材１の一側部に取り付けられている係止片４のビス７を緩めてこの係止片４を外し、間に配される線樋増設部材１はそれぞれの線樋増設部材１の両側部に取り付けられている係止片４のビス７をそれぞれ緩めてこれら係止片４を外し、連結する線樋増設部材１の側部どうしを重ね、それぞれのビス孔５の位置を合わせてビス止めすればよい。そして、このようにした線樋は、図示していないが、床面Ｐに敷設すればよい。
【００３５】
したがって、この考案の線樋では、以上に述べたように、線樋増設部材１の側部に線樋側部材２を連結したり、線樋側部材２どうしを互いに連結すれば、これら構成部材の連結が簡単なものなり、その敷設作業が煩わしくないものとなり、さらに線部材の収納部を増設する場合にも部品点数が多くなることなく、製品コストが高くならないものとなる。
【図面の簡単な説明】
【００３６】
【図１】この考案の線樋の一実施形態を示す斜視図である。
【図２】この考案の線樋の他の実施形態を示す斜視図である。
【図３】この考案の線樋を構成する線樋増設部材の一部を分解し、中間部を省略して示す斜視図である。
【図４】この考案の線樋を構成する線樋増設部材の中間部を省略して示す平面図である。
【図５】この考案の線樋を構成する線樋増設部材の正面図である。
【図６】この考案の線樋を構成する線樋増設部材の他の例の中間部を省略して示す斜視図である。
【図７】この考案の線樋を構成する線樋側部材の一端部分を示す斜視図である。
【図８】この考案の線樋を構成する線樋側部材の断面図である。
【図９】図１に示すこの考案の線樋の使用状態を示す断面図である。
【図１０】図２に示すこの考案の線樋の使用状態を示す断面図である。
【図１１】この考案の線樋の他の使用状態を示す断面図である。
【図１２】従来の線樋を構成する線樋中部材の一端部分を示す斜視図である。
【図１３】従来の線樋を構成する線樋側部材の一端部分を示す斜視図である。
【図１４】従来の線樋の一形態を示す端面図である。
【図１５】従来の線樋を構成する線樋増設部材の一端部分を示す斜視図である。
【図１６】従来の線樋の他の形態を示す端面図である。
【符号の説明】
【００３７】
１  線樋増設部材
１ａ  上辺
１ｂ  下辺
２  線樋側部材
３  収納部
４  係止片
４ａ  上辺
４ｂ  下辺
８  係止穴
Ｂ  止着具
Ｃ  線部材
Ｐ  敷設面
Ｓ  隙間
【図１】
0003124485.tif 000003
【図２】
0003124485.tif 000004
【図３】
0003124485.tif 000005
【図４】
0003124485.tif 000006
【図５】
0003124485.tif 000007
【図６】
0003124485.tif 000008
【図７】
0003124485.tif 000009
【図８】
0003124485.tif 000010
【図９】
0003124485.tif 000011
【図１０】
0003124485.tif 000012
【図１１】
0003124485.tif 000013
【図１２】
0003124485.tif 000014
【図１３】
0003124485.tif 000015
【図１４】
0003124485.tif 000016
【図１５】
0003124485.tif 000017
【図１６】
0003124485.tif 000018